(57)【要約】【課題】特に背側部において、ウエスト回りの一部分の締め付け力を向上させ、背側部の弛みを生じ難くし、漏れを起こし難い使い捨ておむつを提供すること。【解決手段】本発明のパンツ型使い捨ておむつ１Ａは、腹側部Ａ及び背側部Ｂそれぞれに伸縮領域Ｅを有し、腹側部Ａの両側縁部３ａ，３ａ及び背側部Ｂの両側縁部３ｂ，３ｂそれぞれが接合されて形成された一対のサイドシール部４，４を有している。おむつ１Ａは、背側部Ｂの伸縮領域Ｅには、その伸縮性を非伸縮化した背側非伸縮部６ｂが配されている。背側非伸縮部６ｂは、パンツ型使い捨ておむつ１Ａの装着時における装着者の第３腰椎７ａから第５腰椎７ｂに亘る部位に対応する幅方向の領域Ｔｂ内に形成されている。【選択図】図２
2011072380.tif 000002
【特許請求の範囲】
【請求項１】
腹側部及び背側部それぞれに伸縮領域を有し、前記腹側部及び前記背側部それぞれの両側縁部が接合されて形成された一対のサイドシール部を有するパンツ型使い捨ておむつであって、
前記背側部の前記伸縮領域には、その伸縮性を非伸縮化した背側非伸縮部が配されており、該背側非伸縮部は、おむつの装着時における装着者の第３腰椎から第５腰椎に亘る部位に対応する幅方向の領域内に形成されているパンツ型使い捨ておむつ。
【請求項２】
表面シート、裏面シート、両シート間に介在する吸収体を有する実質的に縦長の吸収性本体と、該吸収性本体の前記裏面シート側に配された外層体とを備えており、
前記外層体は、前記吸収性本体の外方全域に亘って延出しており、前記パンツ型使い捨ておむつの外面をなす外層シートと、該外層シートの内面側に配された内層シートと、前記外層シート及び前記内層シートの間に、それらの両側縁間に亘って配された複数本の弾性部材とを有しており、
前記伸縮領域は、前記吸収性本体が配された部位を除く前記外層体に形成されている請求項１に記載のパンツ型使い捨ておむつ。
【請求項３】
表面シート、裏面シート、両シート間に介在する吸収体を有する実質的に縦長の吸収性本体と、該吸収性本体の前記裏面シート側に配された外層体とを備えており、
前記外層体は、前記吸収性本体の外方全域に亘って延出しており、伸縮性不織布で形成されており、
前記伸縮領域は、前記吸収性本体が配された部位を除く前記外層体に形成されている請求項１に記載のパンツ型使い捨ておむつ。
【請求項４】
前記背側非伸縮部は、その外形形状が楕円形状であり、その中央部が、おむつの装着時における装着者の第４腰椎に対応する幅方向の領域内に配されている請求項１〜３の何れかに記載のパンツ型使い捨ておむつ。
【請求項５】
前記腹側部の前記伸縮領域には、その伸縮性を非伸縮化した腹側非伸縮部が配されており、該腹側非伸縮部は、おむつの装着時における装着者の第4腰椎より下方の部位に対応する幅方向の領域内に形成されている請求項１〜４の何れかに記載のパンツ型使い捨ておむつ。
【発明の詳細な説明】
【技術分野】
【０００１】
本発明は、使い捨ておむつ等のパンツ型使い捨ておむつに関する。
【背景技術】
【０００２】
従来より、おむつの装着時の弛みを生じ難くし、漏れの発生を抑えた良好な使い捨ておむつが種々提案されている。
例えば、特許文献１には、吸収コアを有し、おむつ長手方向の一端部の両側にウエストバンド部が設けられており、左右のウエストバンド部を連結することにより装着することができる使い捨ておむつが開示されている。特許文献１に記載の使い捨ておむつには、両側のウエストバンド部に、高弾性領域と、弾性を示すが該高弾性領域より低弾性の低弾性領域とが形成されている。
【０００３】
しかしながら、特許文献１に記載の使い捨ておむつは、所謂、展開型のおむつであり、パンツ型のおむつではない。また、特許文献１に記載の低弾性領域は、ウエストバンド部の下端側の全域に一様に形成されているため、特に背側部において弛みが生じると、その弛みを低弾性領域で吸収することが出来ず、漏れを起こす場合があった。ここで、背側部における弛みを生じさせないように、ウエスト回り全域の締め付けを強めてしまうと、装着者のお腹が苦しくなってしまう。
【先行技術文献】
【特許文献】
【０００４】
【特許文献１】特開２００６−１０２２７８号公報
【発明の概要】
【発明が解決しようとする課題】
【０００５】
したがって、本発明の課題は、特に背側部において、ウエスト回りの一部分の締め付け力を向上させ、背側部の弛みを生じ難くし、漏れを起こし難い使い捨ておむつを提供することにある。
【課題を解決するための手段】
【０００６】
本発明は、腹側部及び背側部それぞれに伸縮領域を有し、前記腹側部及び前記背側部それぞれの両側縁部が接合されて形成された一対のサイドシール部を有するパンツ型使い捨ておむつであって、前記背側部の前記伸縮領域には、その伸縮性を非伸縮化した背側非伸縮部が配されており、該背側非伸縮部は、おむつの装着時における装着者の第３腰椎から第５腰椎に亘る部位に対応する幅方向の領域内に形成されているパンツ型使い捨ておむつを提供するものである。
【発明の効果】
【０００７】
本発明のパンツ型使い捨ておむつによれば、背側部において、ウエスト回りの一部分の締め付け力が向上するので、背側部の弛みが生じ難く、漏れが起き難い。
【図面の簡単な説明】
【０００８】
【図１】図１は、本発明の第１実施形態であるパンツ型使い捨ておむつを装着した状態を背面から見た斜視図である。
【図２】図２は、図１に示すパンツ型使い捨ておむつを展開した状態を外層体側から見た展開平面図である。
【図３】図３は、腰椎を示す説明図である。
【図４】図４（ａ）は、図１に示すパンツ型使い捨ておむつの有する背側非伸縮部の作成方法を説明する図であり、図４（ｂ）は、背側非伸縮部の装着時の作用を説明する図である。
【図５】図５（ａ）は、図１に示すパンツ型使い捨ておむつの有する背側非伸縮部の作成方法を説明する図であり、図５（ｂ）は、背側非伸縮部の装着時の作用を説明する図である。
【図６】図６は、本発明の第２実施形態であるパンツ型使い捨ておむつを装着した状態を背面から見た斜視図である。
【図７】図７は、図６に示すパンツ型使い捨ておむつを展開した状態を外層体側から見た展開平面図である。
【図８】図８（ａ）は、図６に示すパンツ型使い捨ておむつの有する背側非伸縮部の作成方法を説明する図であり、図８（ｂ）は、背側非伸縮部の装着時の作用を説明する図である。
【発明を実施するための形態】
【０００９】
以下、本発明のパンツ型使い捨ておむつの好ましい第１実施形態について、図１〜図５に基づいて説明する。
【００１０】
第１実施形態のパンツ型使い捨ておむつ１Ａは、図１に示すように、腹側部Ａ及び背側部Ｂそれぞれに伸縮領域Ｅを有し、腹側部Ａの両側縁部３ａ，３ａ及び背側部Ｂの両側縁部３ｂ，３ｂそれぞれが接合されて形成された一対のサイドシール部４，４を有している。
第１実施形態のパンツ型使い捨ておむつ１Ａは、図２に示すように、中心線ＣＬに対して左右対称に形成されている。従って以下の説明では、左右対称な部分については、主に、右側について説明する。
【００１１】
第１実施形態のパンツ型使い捨ておむつ１Ａについて、詳述すると、第１実施形態のパンツ型使い捨ておむつ１Ａ（以下、「おむつ１Ａ」ともいう。）は、図２に示すように、液透過性の表面シート２１と、液不透過性（撥水性も含む）の裏面シート２２と、両シート２１，２２間に介在する吸収体２３とを有する実質的に縦長の吸収性本体２、及び吸収性本体２の裏面シート２２側に配され接着固定された外層体３を備えている。おむつ１Ａは、図２に示すように、その長手方向（以下「Ｙ方向」という。Ｙ方向：中心線ＣＬに平行な方向をいう。）に、腹側部Ａ、股下部Ｃ及び背側部Ｂを有している。おむつ１Ａの腹側部Ａは、装着時に、装着者の腹側に配される部位であり、背側部Ｂは、装着者の背側に配される部位であり、股下部Ｃは、装着者の股間部に配される部位である。
【００１２】
おむつ１Ａにおいて、吸収体２３は、長手方向（Ｙ方向）中央部分が内方に括れた砂時計状（非図示）であり、表面シート２１及び裏面シート２２は、それぞれ長方形状であり、吸収体２３の長手方向（Ｙ方向）の両端縁から延出した部分において互いに接合され、幅方向（以下「Ｘ方向」という。Ｘ方向：おむつ１Ａの長手方向に延びる中心線ＣＬに垂直な方向をいう。）の両端縁から延出した部分においても互いに接合されている。このように接合することにより、図２に示すように、実質的に縦長の長方形状の吸収性本体２が形成されている。
【００１３】
外層体３は、図２に示すように、吸収性本体２の外方全域に亘って延出しており、長手方向（Ｙ方向）中央部において内方に括れている。おむつ１Ａにおける外層体３の腹側部Ａの両側縁部３ａ，３ａの内面と背側部Ｂの両側縁部３ｂ，３ｂの内面同士を互いに重ね合わせ、合掌状に融着又は接着して、一対のサイドシール部４，４を形成することにより、図１に示す、ウエスト開口部ＷＯ及び一対のレッグ開口部ＬＯ，ＬＯを有するパンツ型の使い捨ておむつ１Ａが形成される。
【００１４】
第１実施形態のおむつ１Ａの外層体３は、伸縮性不織布で形成されている。吸収性本体２が配された部位を除く外層体３には、図１に示すように、腹側部Ａ及び背側部Ｂそれぞれにおいて、ウエスト弾性領域、胴回り弾性領域及び環状の一対のレッグ弾性領域からなる伸縮領域Ｅが形成されている。
【００１５】
外層体３の伸縮性不織布としては、弾性繊維層の少なくとも一面に、実質的に非弾性の非弾性繊維層が配され、両繊維層は、弾性繊維層の構成繊維が繊維形態を保った状態で、熱融着によって接合された伸縮性不織布（以下、伸縮性複合不織布という。）が好ましい。
【００１６】
前記弾性繊維層の構成繊維としては、スチレン系エラストマー、ポリオレフィン系エラストマー、ポリエステル系エラストマー又はポリウレタン系エラストマー等の熱可塑性エラストマー、ゴム等の弾性樹脂を原料とする繊維が用いられる。また、前記非弾性繊維層の構成繊維としては、ポリエチレン（ＰＥ）、ポリプロピレン（ＰＰ）、ポリエステル（ＰＥＴやＰＢＴ）、ポリアミド等からなる繊維が用いられる。
【００１７】
伸縮性複合不織布としては、各種公知のものを用いることができ、例えば、特開２００８−１７９１２８号公報に記載の伸縮シート、特開２００７−２２０６６号公報に記載の伸縮性シート、特開２００７−２２０６６号公報に記載の伸縮性不織布の製造方法により製造される伸縮性不織布、特許３０５４９３０号公報等を用いることもできる。
【００１８】
本発明においては、上述した背側部Ｂの伸縮領域Ｅ及び腹側部Ａの伸縮領域Ｅの中で、少なくとも背側部Ｂの伸縮領域Ｅには、その伸縮性を非伸縮化した背側非伸縮部６ｂが配されている。背側部Ｂの背側非伸縮部６ｂは、パンツ型使い捨ておむつ１Ａの装着時における装着者の第３腰椎から第５腰椎に亘る部位（図３参照）に対応する幅方向の領域Ｔｂ（図２参照）内に配されている。領域Ｔｂは、図２に示すように、装着者の第３腰椎から第５腰椎に亘る部位（図３参照）に対応する領域をおむつ１Ａの幅方向（Ｘ方向）に延ばした略短冊状の領域である。ここで、第３腰椎及び第５腰椎は、解剖学の用語である。第３腰椎は、図３において７ａで示される部位であり、第５腰椎は、図３において７ｂで示される部位である。尚、後述する第４腰椎も、解剖学の用語であり、第４腰椎は、第３腰椎と第５腰椎との間に位置する部位である。以下、背側非伸縮部６ｂについて詳述する。
【００１９】
背側非伸縮部６ｂは、図２に示す領域Ｔｂ内に、１個〜４個、幅方向（Ｘ方向）に間隔を空けて配されていることが好ましく、第１実施形態のおむつ１Ａにおいては、２個配されている。おむつ１Ａの２個の背側非伸縮部６ｂは、中心線ＣＬに対して左右対称に配されており、それぞれ、中心線ＣＬとサイドシール部４との間に配されている。尚、背側非伸縮部６ｂが３個の場合には、１個の背側非伸縮部６ｂが中心線ＣＬの通る位置に配され、残りの２個の背側非伸縮部６ｂは、中心線ＣＬに対して左右対称に配され、それぞれ、中心線ＣＬとサイドシール部４との間に配される。
【００２０】
各背側非伸縮部６ｂは、その外形形状が、長手方向（Ｙ方向）に長い、長方形状、楕円形状、菱形形状、円形状、三角形状等であることが好ましく、第１実施形態のおむつ１Ａにおいては、図２に示すように、長手方向（Ｙ方向）に長辺を配したＬ字状又は逆Ｌ字状に形成されている。図２に示すように、おむつ１Ａの２個の背側非伸縮部６ｂは、中心線ＣＬに対して左右対称に配されており、図２の左側の背側非伸縮部６ｂがＬ字状であり、図２の右側の背側非伸縮部６ｂが逆Ｌ字状である。おむつ１ＡのＬ字状又は逆Ｌ字状の各背側非伸縮部６ｂは、その短辺が、おむつ１Ａの装着時における装着者の第４腰椎（図３参照）に対応する幅方向の領域内に配されている。
【００２１】
おむつ１ＡのＬ字状の背側非伸縮部６ｂは、その短辺のＸ方向の長さ（Ｗ１）の合計が、２０ｍｍ〜４０ｍｍであることが好ましく、その長辺のＹ方向の長さ（Ｌ１）が、１５ｍｍ〜３０ｍｍであることが好ましい。装着対象者が幼児である場合には、パンツ型使い捨ておむつ１Ａの幅（Ｗ０）に対する背側非伸縮部６ｂの短辺の長さ（Ｗ１）の合計の比（Ｗ１／Ｗ０）は、０．１〜０．３であることが好ましく、パンツ型使い捨ておむつ１Ａの長さ（Ｌ０）に対する背側非伸縮部６ｂの長辺の長さ（Ｌ１）の比（Ｌ１／Ｌ０）は、０．０３〜０．０８であることが好ましい。
【００２２】
おむつ１Ａを装着した状態で、背側非伸縮部６ｂを領域Ｔｂ（図２参照）内に配するためには、パンツ型使い捨ておむつ１Ａの寸法と装着者の体格との関係が重要である。
例えば、装着対象者が幼児である場合には、図２に示すように、背側非伸縮部６ｂの短辺の先端とおむつ１Ａの中心線ＣＬとの間の距離Ｗ２は、２０〜８０ｍｍであることが好ましく、背側非伸縮部６ｂの長辺の先端とおむつ１Ａのウエスト開口部ＷＯの端縁との間の距離Ｌ２は、８〜３０ｍｍであることが好ましい。
【００２３】
背側非伸縮部６ｂの形成方法としては、上述したように、外層体３が伸縮性不織布で構成されているため、図４（ａ）に示すように、吸収性本体２が配された部位を含む外層体３（伸縮領域Ｅ）の表面及び／又は裏面に、自然状態において、背側非伸縮部６ｂに対応する非伸縮性部材６ｂ’を貼り付け、非伸縮性部材６ｂ’を貼り付けた範囲の伸縮性不織布を一体的に固定することにより背側非伸縮部６ｂを形成することができる。このような方法で形成された背側非伸縮部６ｂは、既に、伸縮機能を喪失しているので、図４（ｂ）に示すように、伸縮領域Ｅを幅方向（Ｘ方向）に伸張させても伸張することがない。その為、背側非伸縮部６ｂを形成した部分を幅方向（Ｘ方向）に延ばした領域においては、有効伸縮長が短く、この領域以外の伸縮領域Ｅよりも伸縮力が強くなっている。貼り付ける非伸縮性部材６ｂ’としては、スパンボンド不織布、スパンボンド−メルトブローン複合不織布（ＳＭ，ＳＭＳ，ＳＭＭＳ等の略号で示される場合もある）等を用いることができる。また、粘着剤としては、ホットメルト等を用いることができる。
【００２４】
また、別の背側非伸縮部６ｂの形成方法としては、上述した外層体３を構成する伸縮性不織布を、図５（ａ）に示すように、自然状態において、その表面側及び／又は裏面側から、ヒートエンボス、超音波エンボス、高周波エンボス等を用いて背側非伸縮部６ｂに対応する部位６ｂ’をエンボス処理し、伸縮性不織布を一体的に固定することにより背側非伸縮部６ｂを形成することができる。このような方法で形成された背側非伸縮部６ｂは、既に、伸縮機能を喪失しているので、図５（ｂ）に示すように、伸縮領域Ｅを幅方向（Ｘ方向）に伸張させても伸張することがない。その為、背側非伸縮部６ｂを形成した部分を幅方向（Ｘ方向）に延ばした領域においては、有効伸縮長が短く、この領域以外の伸縮領域Ｅよりも伸縮力が強くなっている。
【００２５】
上述したエンボス処理により背側非伸縮部６ｂを形成する場合において、背側非伸縮性部６ｂの幅を変えたときの伸縮力（引張応力）の変化を代表的な材料を用いて測定した。その結果を、表１に示す。
【００２６】
＜伸縮力（引張応力）の変化の測定＞
パンツ型使い捨ておむつ１Ａに使用する伸縮性不織布をＸ方向の長さ７０ｍｍ、Ｙ方向の長さ２０ｍｍにカットし、以下の、測定サンプルＡ、Ｂ及びＣを作成した。測定サンプルＡは、エンボス処理を施していないサンプルであり、測定サンプルＢは、Ｘ方向中央にエンボス処理を施し、幅（７．５ｍｍ）の非伸縮部を形成したサンプルであり、測定サンプルＣは、Ｘ方向中央にエンボス処理を施し、測定サンプルＢの倍の幅（１５ｍｍ）の非伸縮部を形成したサンプルである。これらの測定サンプルＡ，Ｂ及びＣそれぞれを測定機械「テンシロンＲＴＣ−１１５０」（オリエンテック社製）にて、自然状態でチャック間の距離Ｋ０が５０ｍｍとなるよう各サンプルのＸ方向両端部を把持し、引張速度３００ｍｍ／ｍｉｎ、戻り速度３００ｍｍ／ｍｉｎで、伸長率１００％の距離まで引張り、引張応力を測定した。表１では、各伸長率に相当する距離Ｋ１まで引張った時における各サンプルの引張応力を、測定サンプルＡの引張応力を基準値１００とした比率（ＩＮＤＥＸ）で示している。このときの伸長率とは次式で定義されるものとする。
伸長率（％）＝〔（Ｋ１−Ｋ０）／Ｋ０〕×１００
【００２７】
【表１】
2011072380.tif 000003
【００２８】
表１のとおり、エンボス処理を施していない伸縮性不織布からなるサンプルＡに比べ、エンボス処理を施し伸縮性不織布の一部に非伸縮部を形成したサンプルＢ，Ｃは、引張応力が高まることが分かる。また、幅（７．５ｍｍ）の非伸縮部を形成したサンプルＢでは約１割弱、測定サンプルＢの倍の幅（１５ｍｍ）の非伸縮部を形成したサンプルＣでは約２〜３割程度、引張応力が高まっており、エンボス処理を施す幅に応じて引張応力の比率が高められることが分かる。
【００２９】
第１実施形態のパンツ型使い捨ておむつ１Ａの形成材料について説明する。
表面シート２１、裏面シート２２及び吸収体２３としては、それぞれ、通常、使い捨ておむつ等の吸収性物品に用いられるものであれば、特に制限なく用いることができる。例えば、表面シート２１としては、親水性且つ液透過性の不織布等を用いることができ、裏面シート２２としては、液不透過性又は撥水性の樹脂フィルムや樹脂フィルムと不織布の積層体等を用いることができる。吸収体２３としては、吸収性ポリマーの粒子及び繊維材料から構成され、ティッシュペーパ（図示せず）によって被覆されているものを用いることができる。
【００３０】
腹側部Ａの両側縁部３ａ，６ａ及び背側部Ｂの両側縁部３ｂ，６ｂの接合には、ヒートエンボス、超音波エンボス、高周波エンボス等による融着手段や、通常、使い捨ておむつ等の吸収性物品に用いられる接着剤等による接着手段が用いられる。
【００３１】
上述した本発明の第１実施形態のパンツ型使い捨ておむつ１Ａを使用した際の作用効果について説明する。
第１実施形態のおむつ１Ａは、図１〜図３に示すように、背側部Ｂの伸縮領域Ｅには、非伸縮化された背側非伸縮部６ｂが形成されている。背側非伸縮部６ｂは、その形成位置が、パンツ型使い捨ておむつ１Ａの装着時における装着者の第３腰椎から第５腰椎にかけての部位（図３参照）に対応する幅方向の領域Ｔｂ（図２参照）内に配されている。その為、背側非伸縮部６ｂを形成した部分を幅方向（Ｘ方向）に延ばした領域は、有効伸縮長が短く、この領域以外の伸縮力は伸縮領域Ｅの伸縮力よりも強くなっている。一般的に、パンツ型使い捨ておむつを装着すると、装着者の背側の第３腰椎から第５腰椎にかけての部位が、図３に示すように、腹側に隆起しているので、背中のその部分に窪みが生じ、パンツ型使い捨ておむつを密着させることが難しい。しかし、第１実施形態のおむつ１Ａにおいては、上述したように、背側非伸縮部６ｂを形成した部分を幅方向（Ｘ方向）に延ばした領域は、その伸縮力が強く、背中の前記窪みにおいて弛みを生じ難いので、パンツ型使い捨ておむつ１Ａを密着させることができる。このように、パンツ型使い捨ておむつ１Ａは、ウエスト回りの一部分の締め付け力を向上させることにより、ウエスト回り全域の締め付けを強めることによる装着者のお腹を苦しめるという不具合が生じ難いにも拘わらず、背側部Ｂの弛みを生じ難く、漏れを起こし難い。
【００３２】
また、第１実施形態のおむつ１Ａは、図２に示すように、おむつ１ＡのＬ字状又は逆Ｌ字状の各背側非伸縮部６ｂの短辺が、おむつ１Ａの装着時における装着者の第４腰椎（図３参照）に対応する幅方向の領域内に配されている。従って、Ｘ方向の長さが最も長い背側非伸縮部６ｂの短辺のある部位を幅方向（Ｘ方向）に延ばした領域は、有効伸縮長が最も短く、伸縮力が最も強くなっている。従って、背側非伸縮部６ｂの短辺のある部位を、装着者の背側の第３腰椎から第５腰椎にかけての部位の中で、図３に示すように、最も腹側に隆起している第４腰椎に対応する位置に配しているので、背中の前記窪みにおいて弛みを更に生じ難く、更に漏れを起こし難い。また、おむつ１Ａの各背側非伸縮部６ｂは、その外形形状がＬ字状又は逆Ｌ字状であるため、各短辺よりも長手方向（Ｙ方向）中央寄りに非伸縮部を有していない。おむつ１ＡのＬ字状又は逆Ｌ字状の各背側非伸縮部６ｂより長手方向（Ｙ方向）中央寄りは、おむつ１Ａを装着したときに装着者の臀部の膨らみが膨らみ始める位置であるため、その位置において弛みを更に生じ難く、更に漏れを起こし難い。
【００３３】
次に、本発明の第２実施形態のパンツ型使い捨ておむつについて、図６〜図８に基づいて説明する。
第２実施形態のパンツ型使い捨ておむつ１Ｂ（以下、「おむつ１Ｂ」ともいう）については、第１実施形態のパンツ型使い捨ておむつ１Ａと異なる点について説明する。特に説明しない点は、第１実施形態のパンツ型使い捨ておむつ１Ａと同様であり、第１実施形態のパンツ型使い捨ておむつ１Ａの説明が適宜適用される。
【００３４】
第２実施形態のおむつ１Ｂは、図６，図７に示すように、外層体３が、弾性部材５を用いて形成されている点が大きく異なる。また、第２実施形態のおむつ１Ｂは、図７に示すように、第１実施形態のおむつ１Ａに比べ、背側非伸縮部６ｂの外形形状が異なっており、また、腹側非伸縮部６ａが形成されている点が異なる。
【００３５】
第２実施形態のおむつ１Ｂの外層体３は、図７に示すように、パンツ型使い捨ておむつ１Ｂの外面をなす外層シート３１及び外層シート３１の内面側に配された内層シート３２から形成されている。外層体３を構成する外層シート３１及び内層シート３２の間には、図６，図７に示すように、腹側部Ａの両側縁３ａ１，３ａ１間及び背側部Ｂの両側縁３ｂ１，３ｂ１間に亘って複数本の弾性部材５が配されている。詳述すると、腹側部Ａ及び背側部Ｂそれぞれにおいては、外層体３を構成する外層シート３１及び内層シート３２の間には、図６，図７に示すように、弾性部材５であるウエスト弾性部材５１、胴廻り弾性部材５２及びレッグ弾性部材５３が配されており、外層体３には、ウエスト弾性領域（ウエストギャザー）、胴回り弾性領域（胴回りギャザー）及び環状の一対のレッグ弾性領域（レッグギャザー）からなる伸縮領域Ｅが形成されている。
【００３６】
複数本の弾性部材５（ウエスト弾性部材５１、胴廻り弾性部材５２及びレッグ弾性部材５３）は、それぞれ１本あたり、伸長率１００％に伸張した時の応力が５ｃN〜１００ｃNの範囲の応力であることが好ましく、伸長率５０％〜１０００％に伸張させた状態で外層シート３１及び内層シート３２の間に配されていることが好ましい。尚、伸長率は、自然長に対する、伸張されて増加した分の長さの割合であり、例えば、長さ１０ｃｍのものを２０ｃｍに伸張するとその伸長率は１００％とされる。
【００３７】
更に詳述すると、第２実施形態のおむつ１Ｂにおいては、伸縮領域Ｅであるウエスト弾性領域（ウエストギャザー）は、複数本のウエスト弾性部材５１を、図６，図７に示すように、吸収性本体２より長手方向（Ｙ方向）外方に間欠的に配し、且つ外層体３の腹側部Ａにおける両側縁３ａ１，３ａ１及び背側部Ｂにおける両側縁３ｂ１，３ｂ１間に亘ってそれぞれ伸張状態で固着することにより形成されている。
【００３８】
また、第２実施形態のおむつ１Ｂにおいては、伸縮領域Ｅである胴回り弾性領域（胴回りギャザー）は、複数本の胴廻り弾性部材５２を、図６，図７に示すように、ウエスト弾性部材５１と外層体３の括れとの間に長手方向（Ｙ方向）に間欠的に配し、且つ外層体３の腹側部Ａにおける両側縁３ａ１，３ａ１及び背側部Ｂにおける両側縁３ｂ１，３ｂ１間に亘って伸張状態で固着することにより形成されている。尚、後述する第２実施形態のおむつ１Ｂの腹側非伸縮部６ａ及び背側非伸縮部６ｂが、胴回り弾性領域（胴回りギャザー）の吸収性本体２が配された部位において形成されない場合には、胴回り弾性領域（胴回りギャザー）の吸収性本体２が配された部位においては、粘着剤、エンボス処理によるカット、エンボス処理による熱付与等により、胴廻り弾性部材５２の弾性機能が喪失されていてもよい。即ち、腹側非伸縮部６ａ及び背側非伸縮部６ｂが、胴回り弾性領域（胴回りギャザー）の吸収性本体２が配された部位において形成されない場合には、伸縮領域Ｅである胴回り弾性領域（胴回りギャザー）は、腹側部Ａにおいては、一方の側縁部３ａと吸収性本体２との間の領域と、他方の側縁部３ａと吸収性本体２との間の領域とに分かれて形成されていてもよく、背側部Ｂにおいても同様に、一方の側縁部３ｂと吸収性本体２との間の領域と、他方の側縁部３ｂと吸収性本体２との間の領域とに分かれて形成されていてもよい。
【００３９】
また、第２実施形態のおむつ１Ｂにおいては、伸縮領域Ｅであるレッグ弾性領域（レッグギャザー）は、腹側部Ａにおいては、複数本のレッグ弾性部材５３を、図６，図７に示すように、腹側部Ａの一方（図７の左側）の側縁３ａ１から腹側部Ａの一方（図７の左側）の括れに沿って固着し、股下部Ｃを通って、腹側部Ａの他方（図７の右側）の括れに沿って腹側部Ａの他方（図７の右側）の側縁３ａ１に至るまで伸張状態で固着し、股下部Ｃの中央部（中心線ＣＬを含む部位）でカットすることにより形成されている。従って、吸収性本体２が配された部位においては、レッグ弾性部材５３の弾性機能が喪失されている。背側部Ｂにおいても同様に、複数本のレッグ弾性部材５３を、図６，図７に示すように、背側部Ｂの一方（図７の左側）の側縁３ｂ１から背側部Ｂの一方（図７の左側）の括れに沿って固着し、股下部Ｃを通って、背側部Ｂの他方（図７の右側）の括れに沿って背側部Ｂの他方（図７の右側）の側縁３ｂ１に至るまで伸張状態で固着し、股下部Ｃの中央部でカットすることにより形成されている。
【００４０】
第２実施形態のおむつ１Ｂにおいては、各背側非伸縮部６ｂは、その外形形状が、図７に示すように、長手方向（Ｙ方向）に長い楕円形状である。おむつ１Ｂの楕円形状の各背側非伸縮部６ｂは、その中央部が、おむつ１Ｂの装着時における装着者の第４腰椎（図３参照）に対応する幅方向の領域内に配されている。楕円形状の各背側非伸縮部６ｂは、図７に示すように、その中央部からＹ方向の前後端に向かって、その幅が漸次減少するように形成されている。
【００４１】
おむつ１Ｂの楕円形状の各背側非伸縮部６ｂは、図７に示すように、そのＸ方向の幅（Ｗ３）の合計が、２０ｍｍ〜４０ｍｍであることが好ましく、そのＹ方向の長さ（Ｌ３）が、１５ｍｍ〜３０ｍｍであることが好ましい。装着対象者が幼児である場合には、パンツ型使い捨ておむつ１Ｂの幅（Ｗ０）に対する各背側非伸縮部６ｂの幅（Ｗ３）の合計の比（Ｗ３／Ｗ０）は、０．１〜０．３であることが好ましく、パンツ型使い捨ておむつ１Ｂの長さ（Ｌ０）に対する各背側非伸縮部６ｂの長さ（Ｌ３）の比（Ｌ３／Ｌ０）は、０．０３〜０．０８であることが好ましい。
【００４２】
おむつ１Ｂを装着した状態で、背側非伸縮部６ｂを領域Ｔｂ（図７参照）内に配するためには、パンツ型使い捨ておむつ１Ｂの寸法と装着者の体格との関係が重要である。
例えば、装着対象者が幼児である場合には、図７に示すように、背側非伸縮部６ｂの中心とおむつ１Ａの中心線ＣＬとの間の距離Ｗ４は、２０〜８０ｍｍであることが好ましく、背側非伸縮部６ｂの中心とおむつ１Ａのウエスト開口部ＷＯの端縁との間の距離Ｌ４は、８〜３０ｍｍであることが好ましい。
【００４３】
第２実施形態のおむつ１Ｂにおいては、腹側部Ａの伸縮領域Ｅにも、その伸縮性を非伸縮化した腹側非伸縮部６ａが配されている。腹側非伸縮部６ａは、パンツ型使い捨ておむつ１Ｂの装着時における装着者の第３腰椎より下方の部位に対応する幅方向に延ばした領域Ｔａ（図７参照）内に形成されている。領域Ｔａは、図７に示すように、装着者の第３腰椎より下方の部位（図３参照）に対応する領域をおむつ１Ｂの幅方向（Ｘ方向）に延ばした略短冊状の領域である。以下、腹側非伸縮部６ａについて詳述する。
【００４４】
腹側非伸縮部６ａは、図７に示す領域Ｔａ内に、１個〜４個、幅方向（Ｘ方向）に間隔を空けて配されていることが好ましく、第２実施形態のおむつ１Ｂにおいては、１個配されている。１個の腹側非伸縮部６ａは、図７に示すように、中心線ＣＬの通る位置に配されている。尚、腹側非伸縮部６ａが２個の場合には、中心線ＣＬに対して左右対称に配され、それぞれ、中心線ＣＬとサイドシール部４との間に配される。また、背側非伸縮部６ｂが３個の場合には、１個の背側非伸縮部６ｂが中心線ＣＬの通る位置に配され、残りの２個の背側非伸縮部６ｂは、中心線ＣＬに対して左右対称に配され、それぞれ、中心線ＣＬとサイドシール部４との間に配される。
【００４５】
腹側非伸縮部６ａは、その外形形状が、長方形状、楕円形状、菱形形状、円形状、三角形状等であることが好ましく、第２実施形態のおむつ１Ｂにおいては、図７に示すように、Ｘ方向に長い長方形状である。おむつ１Ｂの長方形状の腹側非伸縮部６ａは、装着者のお腹の出っ張りの頂部よりも下方の位置に配されており、パンツ型使い捨ておむつ１Ｂを装着したときに装着者の第４腰椎（図３参照）より下方の部位に対応する部位を幅方向に延ばした領域Ｔａ（図７参照）内に配されている。
【００４６】
おむつ１Ｂの長方形状の腹側非伸縮部６ａは、図７に示すように、そのＸ方向の長さ（Ｗ５）の合計が、１０ｍｍ〜３０ｍｍであることが好ましく、そのＹ方向の長さ（Ｌ５）が、１０ｍｍ〜３０ｍｍであることが好ましい。装着対象者が幼児である場合には、パンツ型使い捨ておむつ１Ｂの幅（Ｗ０）に対する腹側非伸縮部６ａのＸ方向の長さ（Ｗ５）の合計の比（Ｗ５／Ｗ０）は、０．０５〜０．２であることが好ましく、パンツ型使い捨ておむつ１Ｂの長さ（Ｌ０）に対する腹側非伸縮部６ａの長さ（Ｌ５）の比（Ｌ５／Ｌ０）は、０．０３〜０．１であることが好ましい。
【００４７】
おむつ１Ｂを装着した状態で、腹側非伸縮部６ａを領域Ｔａ（図７参照）内に配するためには、パンツ型使い捨ておむつ１Ｂの寸法と装着者の体格との関係が重要である。
例えば、装着対象者が幼児である場合には、図７に示すように、腹側非伸縮部６ａの中心とおむつ１Ｂのウエスト開口部ＷＯの端縁との間の距離Ｌ６は、２０ｍｍ〜５０ｍｍであることが好ましい。
【００４８】
おむつ１Ｂの背側非伸縮部６ｂの形成方法としては、上述したように、外層体３を構成する外層シート３１及び内層シート３２の間に、弾性部材５であるウエスト弾性部材５１、胴廻り弾性部材５２及びレッグ弾性部材５３を伸張状態で配して伸縮領域Ｅを形成した後、その伸縮領域Ｅを、図８（ａ）に示すように、自然状態に戻す。次に、自然状態に戻した伸縮領域Ｅの外層シート３１及び／又は内層シート３２の外表面に、背側非伸縮部６ｂに対応する非伸縮性部材６ｂ’を貼り付け、非伸縮性部材６ｂ’を貼り付けた範囲の外層シート３１、内層シート３２及び弾性部材５を一体的に固定することにより背側非伸縮部６ｂを形成することができる。また、別の方法としては、伸縮領域Ｅを形成した後、その伸縮領域Ｅを、図８（ａ）に示すように、自然状態に戻し、自然状態に戻した伸縮領域Ｅの外層シート３１及び／又は内層シート３２の外表面から、ヒートエンボス、超音波エンボス、高周波エンボス等を用いて背側非伸縮部６ｂに対応する部位をエンボス処理し、外層シート３１、内層シート３２及び弾性部材５を一体的に固定することにより背側非伸縮部６ｂを形成することができる。このような方法で形成された背側非伸縮部６ｂは、既に、伸縮機能を喪失しているので、図８（ｂ）に示すように、伸縮領域Ｅを幅方向（Ｘ方向）に伸張させても伸張することがない。その為、背側非伸縮部６ｂを形成した部分を幅方向（Ｘ方向）に延ばした領域においては、有効伸縮長が短く、この領域以外の伸縮領域Ｅよりも伸縮力が強くなっている。尚、腹側非伸縮部６ａの形成方法についても同様である。
【００４９】
第２実施形態のパンツ型使い捨ておむつ１Ｂの形成材料について説明する。第２実施形態のおむつ１Ｂについては、第１実施形態のパンツ型使い捨ておむつ１Ａの形成材料と異なる点について説明する。特に説明しない点は、第１実施形態のおむつ１Ａと同様であり、第１実施形態のおむつ１Ａの形成材料の説明が適宜適用される。
【００５０】
外層体３を構成する外層シート３１と背側部Ｂの内層シート３２としては、通常、使い捨ておむつ等の吸収性物品に用いられるものであれば、特に制限なく用いることができる。例えば、外層シート５１及び内層シート５２としては、撥水性の不織布等を用いることができる。
【００５１】
ウエスト弾性部材５１、胴廻り弾性部材５２、レッグ弾性部材５３としては、通常、使い捨ておむつ等の吸収性物品に用いられるものであれば、特に制限なく用いることができる。例えば、天然ゴム、ポリウレタン、発泡ウレタン、ポリスチレン−ポリイソプレン共重合体、ポリスチレン−ポリブタジエン共重合体、アクリル酸エチル−エチレン等のポリエチレン−αオレフィン共重合体等からなる伸縮性の材料等を用いることができる。
【００５２】
上述した本発明の第２実施形態のパンツ型使い捨ておむつ１Ｂを使用した際の作用効果について説明する。
第２実施形態のおむつ１Ｂの効果については、第１実施形態のおむつ１Ａの効果と異なる点について説明する。特に説明しない点は、第１実施形態のおむつ１Ａの効果と同様であり、第１実施形態のパンツ型使い捨ておむつ１Ａの効果の説明が適宜適用される。
【００５３】
第２実施形態のおむつ１Ｂにおいては、図７に示すように、背側非伸縮部６ｂの外形形状が楕円形状であり、その中央部が、おむつ１Ｂの装着時における装着者の第４腰椎（図３参照）に対応する幅方向の領域内に配されている。従って、Ｘ方向の幅が最も長い背側非伸縮部６ｂの中央部を幅方向（Ｘ方向）に延ばした領域は、有効伸縮長が最も短く、伸縮力が最も強くなっている。従って、背側非伸縮部６ｂの中央部を、装着者の背側の第３腰椎から第５腰椎にかけての部位の中で、図３に示すように、最も腹側に隆起している第４腰椎に対応する位置に配しているので、背中の前記窪みにおいて弛みを更に生じ難く、漏れを更に起こし難い。また、楕円形状の背側非伸縮部６ｂは、図７に示すように、その中央部からその前後端に向かって、その幅が漸次減少するように形成されている。その為、その中央部からＹ方向の前後端に向かって、その領域での有効伸縮長が徐々に長くなり、その伸縮力が徐々に、他の伸縮領域Ｅの伸縮力に戻っていく。従って、背側非伸縮部６ｂを形成した部分を幅方向（Ｘ方向）に延ばした領域の伸縮力と、それ以外の他の伸縮領域Ｅとの伸縮力との間に急激な差が発生しないので、装着感の違和感が生じ難い。
【００５４】
また、第２実施形態のおむつ１Ｂにおいては、背側非伸縮部６ｂ以外に、腹側非伸縮部６ａが、パンツ型使い捨ておむつ１Ｂの装着時における装着者の装着者の第３腰椎（図３参照）より下方の部位に対応する幅方向の領域Ｔａ（図７参照）内に配されている。従って、装着時の位置ズレを生じ難く、装着感が向上する。
【００５５】
本発明のパンツ型使い捨ておむつは、上述の第１，第２実施形態のパンツ型使い捨ておむつに何ら制限されるものではなく、適宜変更可能である。また、上述の第１，第２実施形態のパンツ型使い捨ておむつにおける各構成要件は、本発明の趣旨を損なわない範囲で、適宜組み合わせて実施できる。
【００５６】
例えば、上述の第１，第２実施形態のパンツ型使い捨ておむつ１Ａ，１Ｂにおいては、図２，図７に示すように、吸収性本体２と外層体３とが別個に形成されているが、一体的に形成されていてもよい。
【００５７】
また、上述の第２実施形態のパンツ型使い捨ておむつ１Ａにおいては、図７に示すように、複数本の胴廻り弾性部材５２及び複数本のレッグ弾性部材５３は、全て、吸収性本体２が配された部位において、弾性機能が喪失されているが、弾性機能が喪失されていなくてもよく、少数本の胴廻り弾性部材５２及びレッグ弾性部材５３のみ、弾性機能が喪失されていてもよい。
【００５８】
また、非伸縮部6ａは、伸縮領域Ｅが側縁部３ａと吸収性本体２との間とに分かれている領域に配されてもいて良く、腹側非伸縮部６ａが２個の場合には、中心線ＣＬに対して左右対称に配され、それぞれ、吸収性本体2とサイドシール部４との間に配される。また、背側非伸縮部6ｂの場合も同様で、背側非伸縮部６ｂが２個の場合には、中心線ＣＬに対して左右対称に配され、それぞれ、吸収性本体2とサイドシール部４との間に配される。
【符号の説明】
【００５９】
１Ａ，１Ｂ  パンツ型使い捨ておむつ
２  吸収性本体
２１  表面シート
２２  裏面シート
２３  吸収体
３  外層体
３ａ，３ｂ  側縁部
３ａ１，３ｂ１  側縁
３１  外層シート
３２  内層シート
４  サイドシール部
５  弾性部材
５１  ウエスト弾性部材
５２  胴廻り弾性部材
５３  レッグ弾性部材
６ａ  腹側非伸縮部
６ｂ  背側非伸縮部
６ｂ’  非伸縮性部材
７ａ  第３腰椎
７ｂ  第５腰椎
【図１】
2011072380.tif 000004
【図２】
2011072380.tif 000005
【図３】
2011072380.tif 000006
【図４】
2011072380.tif 000007
【図５】
2011072380.tif 000008
【図６】
2011072380.tif 000009
【図７】
2011072380.tif 000010
【図８】
2011072380.tif 000011